(57)【要約】      （修正有）【課題】耐久性に優れ、設置・撤去作業が簡単で、さらに繰り返して使用することができる仮設防護柵基礎を提供する。【解決手段】仮設防護柵基礎１は略直方体の本体２、本体２の一方の端部８０に設けられた上突出部３、及び本体の他方の端部８５に設けられた下突出部４を備えている。本体２は、基台２０に、1組の上蓋２２、２２が着脱自在に固定されており、基台２０及び１組の上蓋２２、２２によって閉鎖空間が形成されている。そして、閉鎖空間内に、錘が着脱可能に固定されている。基台３１、４１に挿通筒３５がスライド自在に固定されている。基礎１を長手方向に配設し、挿通筒３５に形成された穴３５ａを平面視で重ね合わせた状態にして、防護柵の支柱を、穴３５ａに挿入することで、基礎１を相互に固定することができる。支柱を挿入するときに挿通筒３５を長手方向にスライドさせることで、支柱の挿入が容易となる。【選択図】図１
2019100030.tif 000002
【特許請求の範囲】
【請求項１】
閉鎖空間が形成された鋼製の本体と、
前記本体の一方の端部に固定されるとともに、上穴が形成された鋼製の上突出部と、
前記本体の他方の端部に固定されるとともに、下穴が形成された鋼製の下突出部と、
前記閉鎖空間内に着脱自在に固定される錘と、
を備え、
前記上穴、及び前記下穴は、平面視で重ね合わせた状態で、軸体をスライド自在に挿入可能であることを特徴とする仮設防護柵基礎。
【請求項２】
前記上突出部及び前記下突出部は、前記軸体を挿入した状態で前記軸体に固定可能であることを特徴とする請求項１に記載の仮設防護柵基礎。
【請求項３】
前記軸体は円筒であり、
前記上突出部及び前記下突出部は、前記軸体を挿入した状態で前記軸体の中心軸廻りに回動させて前記軸体に固定可能であることを特徴とする請求項２に記載の仮設防護柵基礎。
【請求項４】
前記上突出部は、前記一方の端部に固定される上突出基台と、前記上穴が形成された上挿入筒と、を有し、
前記上挿入筒は、前記上突出基台に、長手方向にスライド自在に固定可能であることを特徴とする請求項1〜３のいずれか1項に記載の仮設防護柵基礎。
【請求項５】
前記下突出部は、前記他方の端部に固定される下突出基台と、前記下穴が形成された下挿入筒と、を有し、
前記下挿入筒は、前記下突出基台に、長手方向にスライド自在に固定可能であることを特徴とする請求項1〜４のいずれか1項に記載の仮設防護柵基礎。
【請求項６】
前記軸体は、防護柵の支柱であることを特徴とする請求項１〜５のいずれか１項に記載の仮設防護柵基礎。
【請求項７】
前記本体は、基台と、前記基台に着脱自在に固定される上蓋とを有し、
前記錘は、前記基台に着脱自在に固定されることを特徴とする請求項１〜６のいずれか１項に記載の仮設防護柵基礎。
【請求項８】
前記基台は、底板と、前記底板のそれぞれの端部に設けられた端支持材と、前記底板の中間部に設けられた中間支持材とを含み、
前記上蓋は、前記端支持材と、前記中間支持材とに着脱自在に固定され、
さらに、
前記錘は複数個を有し、前記端支持材、及び前記中間支持材に着脱自在に固定されることを特徴とする請求項７に記載の仮設防護柵基礎。
【請求項９】
前記錘は、鋼製であることを特徴とする請求項１〜８のいずれか１項に記載の仮設防護柵基礎。
【発明の詳細な説明】
【技術分野】
【０００１】
本発明は、仮設防護柵を設置する際に使用する鋼製の仮設防護柵基礎に関する。
【背景技術】
【０００２】
道路改築工事等では、工事作業者、及び歩行者の安全を確保するために仮設防護柵が設置される。仮設防護柵を施工現場に設置するための基礎として、長手方向に連続して配置するプレキャスト型のコンクリートブロックが知られている。
【０００３】
特許文献1で開示される仮設防護柵基礎は、本体の両端部に、重ね合わすことができる環状の連結部が設けられており、連結部を他の防護柵基礎の環状の連結部と重ね、その重なった連結部に防護柵の支柱を挿入することにより、複数連結できるようにしたコンクリート製の仮設防護柵基礎である。
【０００４】
特許文献２で開示される仮設防護柵基礎は、両方の端部は円弧状に形成されており、これら端部のうちの一方は上側が下側に対して突出して形成されており、他方は下側が上側に対して突出して形成されている。このように形成されたコンクリートブロックによって、同様に形成されたコンクリートブロックと隣接して設置され、上側突出部と隣接するコンクリートブロックの下側突出部が重なり合うようにして設置できる。そして、コンクリートブロックの任意の位置に、ガードレールを取り付けるための支柱取付け穴が設けられている。
【０００５】
仮設防護柵は、車両が衝突したとき、横方向に衝撃を受けるため、側方に大きく移動し、又は仮設防護柵自体が転倒する。これにより、工事作業者、及び歩行者の安全が損なわれる事態が生じる。安全性を確保するために、仮設防護柵基礎は、一定重量以上を確保しなければならない。しかし、特許文献１、２で開示されている仮設防護柵基礎は、コンクリート製であるため、一定重量を確保するためにその体積を大きくせざるを得ず、設置スペースが限られる狭隘な場所には設置できない。また、強度上の問題で、上方に何段にも積み重ねて保管することができず、保管についても、広いスペースを確保する必要がある。
【０００６】
特許文献1では、環状の連結部に防護柵の支柱を挿入することによって、仮設防護柵基礎を相互に連結する構造となっているが、環状連結部間の距離を調整することができず、支柱間距離が固定される防護柵の製作誤差等によって、環状の連結部に挿入することが困難な事態が生じる。
【０００７】
特許文献２については、防護柵の製作誤差を調整するために、支柱取付け穴の大きさを支柱よりも大きくすることが考えられるが、この場合は、支柱挿入後に、支柱取付け穴と支柱との間に生じる空間を埋めるために充填材を詰めなければならず、設置の作業効率が低下する。
【０００８】
さらに、車両が衝突したときの衝撃で破損した場合、コンクリート製の仮設防護柵基礎は、補修ができず廃棄せざるを得ない。特許文献１の仮設防護柵基礎においては、環状の連結部が強度上の弱点となり破損する可能性が高い。特許文献２の仮設防護柵基礎についても同様に、上突起部、及び下突起部が強度上の弱点となる。
【先行技術文献】
【特許文献】
【０００９】
【特許文献１】特開２０１１−１１７２３８号公報
【特許文献２】特開２００５−１７９９４９号公報
【発明の概要】
【発明が解決しようとする課題】
【００１０】
本発明の課題は、耐久性に優れ、設置・撤去作業が簡単で、さらに繰り返して使用することができる仮設防護柵基礎を提供するものである。
【課題を解決するための手段】
【００１１】
上記課題を解決するために、請求項１に係る発明は、仮設防護柵基礎であって、閉鎖空間が形成された鋼製の本体と、本体の一方の端部に固定されるとともに、上穴が形成された鋼製の上突出部と、本体の他方の端部に固定されるとともに、下穴が形成された鋼製の下突出部と、閉鎖空間内に着脱自在に固定される錘を備え、上穴、及び下穴は、平面視で重ね合わせた状態で、軸体をスライド自在に挿入可能であることを特徴とする。
【００１２】
この構成によれば、仮設防護柵基礎を構成する本体、上突出部、及び下突出部は鋼製であるため、コンクリート製のものに比べ耐久性に優れる。
【００１３】
また、錘は、本体に形成される閉鎖空間内に着脱可能に固定されるので、重量の軽い錘から重い錘まで様々な重さの錘を閉鎖空間内に固定することができる。これにより、最適な重さの仮設防護柵基礎を施工現場に設置することができる。
【００１４】
また、上穴、及び下穴は平面視で重ね合わせた状態で、軸体をスライド自在に挿脱可能であるので、複数の仮設防護柵基礎を長手方向に配設して上穴と下穴を重ね合わせ、その重ね合わせた穴に軸体を挿入することで、仮設防護柵基礎を簡単に連接することができる。
【００１５】
請求項２に係る発明は、請求項1に記載の仮設防護柵基礎において、上突出部及び下突出部は、軸体を挿入した状態で軸体に固定可能であることを特徴とする。
【００１６】
この構成によれば、上突出部及び下突出部は、軸体を挿入した状態で軸体に固定可能であるので、仮設防護柵基礎を長手方向に強固に連接することができる。その結果、仮設防護柵に車両が衝突したとしても、衝突荷重を分散して受けとめることができるので、仮設防護柵基礎の側方への移動を抑制することができる。
【００１７】
請求項３に係る発明は、請求項２に記載の仮設防護柵基礎であって、軸体は円筒であり、上突出部及び下突出部は、軸体を挿入した状態で軸体の中心軸廻りに回動させて軸体に固定可能であることを特徴とする。
【００１８】
この構成によれば、軸体は円筒であり、上突出部及び下突出部は、軸体を挿入した状態で軸体の中心軸廻りに回動させて軸体に固定可能であるので、防護柵基礎を曲率を有する路に沿って配設することができる。
【００１９】
請求項４に係る発明は、請求項1〜３のいずれか1項に記載の仮設防護柵基礎において、上突出部は、一方の端部に固定される上突出基台と、上穴が形成された上挿入筒を有し、上挿入筒は、上突出基台に、長手方向にスライド自在に固定可能であることを特徴とする。
【００２０】
軸体間の距離が固定される場合、例えば、複数の軸体が、ガードレールを介して連接されている場合等においては、製作誤差により軸体間の距離がばらつき、複数の軸体を同時に上突出部に挿入することが困難となる事態が生じる。しかし、この構成によれば、上挿入筒は、上突出基台に、長手方向にスライド自在に固定可能であるので、上挿入筒を軸体の直下の位置にスライドさせて複数の軸体を同時に挿入し、固定することができる。
【００２１】
請求項５に係る発明は、請求項1〜４のいずれか1項に記載の仮設防護柵基礎において、下突出部は、他方の端部に固定される下突出基台と、下穴が形成された下挿入筒を有し、下挿入筒は、下突出基台に、長手方向にスライド自在に固定可能であることを特徴とする。
【００２２】
この構成によれば、下挿入筒は、下突出基台に、長手方向にスライド自在に固定可能であるので、下挿入筒を軸体の直下の位置にスライドさせて複数の軸体を同時に挿入し、固定することができる。
【００２３】
請求項６に係る発明は、請求項１〜５のいずれか１項に記載の仮設防護柵基礎において、軸体は、防護柵の支柱であることを特徴とする。
【００２４】
この構成によれば、軸体は、防護柵の支柱であるので、仮設防護柵基礎を相互に連接する作業と、支柱の建て込み作業を同時に行うことができる。
【００２５】
請求項７に係る発明は、請求項１〜６のいずれか１項に記載の仮設防護柵基礎において、本体は、基台と、基台に着脱自在に固定される上蓋を有し、錘は、基台に着脱自在に固定されることを特徴とする。
【００２６】
本体は、基台と、基台に着脱自在に固定される上蓋を有するので、上蓋を基台から取り外し、又は基台に取り付けることで、本体を簡単に組み立て・分解することができる。また、錘は、基台に着脱自在に固定されるので、上蓋を基台から取り外すことによって、錘を本体から取り外すことができる。
【００２７】
請求項８に係る発明は、請求項１〜７のいずれか１項に記載の仮設防護柵基礎において、基台は、底板と、底板のそれぞれの端部に設けられた端支持材と、底板の中間部に設けられた中間支持材とを含み、上蓋は、端支持材と、中間支持材とに着脱自在に固定され、さらに、錘は複数個を有し、端支持材、及び中間支持材に着脱自在に固定されることを特徴とする。
【００２８】
この構成によれば、上蓋は、端支持材、及び中間支持材の複数の部材に固定されているので、本体を強固な構造とすることができる。また、錘は複数個有しているので、1個当たりの錘の重量を軽くすることができる。これにより、錘の取り付け・取り外し作業の労力を低減することができる。
【００２９】
請求項９に係る発明は、請求項１〜８のいずれか１項に記載の仮設防護柵基礎において、錘は、鋼製であることを特徴とする。
【００３０】
この構成によれば、錘はコンクリート製に比べ単位体積重量の大きい鋼製であるので、仮設防護柵基礎の体積を小さくすることができる。
【図面の簡単な説明】
【００３１】
【図１】仮設防護柵基礎の斜視図である。
【図２】（ａ）は同、上蓋を省略した平面図である。          （ｂ）は同、上蓋を省略した正面図である。
【図３】（ａ）は錘の正面図である。          （ｂ）は同、側面図である。
【図４】（ａ）は仮設防護柵基礎を連接した状態を説明する平面図である。          （ｂ）は同、正面図である。
【図５】図４（ｂ）で表示する矢視Ａ−Ａから視た断面図である。
【図６】（ａ）は、仮設防護柵基礎の保管状態を説明する平面図である。            （ｂ）は、同正面図である。            （ｃ）は、同側面図である。
【発明を実施するための形態】
【００３２】
本実施形態における仮設防護柵基礎１について、図を参照し、説明する。図１に示す通り、仮設防護柵基礎１（以後、基礎１と呼ぶ。）は略直方体の本体２、本体２の端部８０（一方の端部）に設けられた上突出部３、及び本体２の端部８５（他方の端部）に設けられた下突出部４を備えている。図２（ａ）、（ｂ）に示す通り本体２に形成された内部空間内には、２個の錘５が配設されている。
【００３３】
図１に示す通り、本体２の端部８０に設けられる上突出部３は、ブラケット３３、基台３１、及び挿通筒３５で構成されている。側面視略３角形の２個のブラケット３３がその上端で基台３１を挟持した状態で後述する端プレート２９に固定されている。ブラケット３３は基台３１を補強するためのものであり、基台３１は挿通筒３５を支持するためのものである。
【００３４】
挿通筒３５は、筒３７、及びベースプレート３８で構成されて、穴３５ａが形成されている。筒３７は、円筒形状の部材である。そして、その中心が中心線ＣＸ上に位置する状態で、周方向に沿った対向する２個の長孔３７ａが形成されている（図２（ａ）、（ｂ）参照）。
【００３５】
ベースプレート３８は、筒３７の下端から垂直に屈曲して、筒３７の外側に向かって水平に延びるドーナツ状の部材である。そして、長手方向に沿って延びる長孔３８ａが、穴３５ａを挟んで中心線ＣＸ上に２個、穴３５ａの中心を通り中心線ＣＸに垂直な線上に２個、合計４個形成されている（図２（ａ）、（ｂ）参照）。
【００３６】
基台３１は、長孔３８ａに対応する孔（図示略）が穿孔されている。この孔と長孔３８ａにボルト９１を挿通し、ナット９１ａを締めることで基台３１と、挿通筒３５は固定される。また、締め付けを少し緩めると、挿通筒３５は、長孔３８ａに沿ってスライドすることができる。そして、穴３５ａに対応する長手方向に長い長穴（図示略）が形成されている。この長穴は、挿通筒３５を固定できる任意の位置で穴３５ａの開口を阻害しないように設定されている。これにより、挿通筒３５を基台３１に固定可能な任意の位置に移動しても後述する支柱６１を挿通筒３５に挿入することができる。
【００３７】
本体２の端部８５に設けられる下突出部４は、ブラケット４３、基台４１、及び挿通筒３５で構成されている。その構成は、上突出部とほぼ同じであるので、説明は省略する。
【００３８】
図１に示す通り、本体２は、基台２０と、基台２０に着脱自在に固定された1組の上蓋２２、２２で構成されており、これらによって閉鎖空間が形成される。
【００３９】
図２（ａ）、（ｂ）に示す通り、基台２０は、底板２１、中間支持材２３、及び端部支持材２７を有している。底板２１は、上方に向かって開口する凹部が形成されたコ字形断面の部材である。また、凹部を形成するための突起は長手方向に延びている。
【００４０】
１組の中間支持材２３、２３は、中心線ＣＹに対して対象の位置に配設されて、底板２１の中央部に固定されている。中間支持材２３、２３は、底板２１に固定される１組の下プレート２６、２６、１組の下プレート２６、２６に固定される１組の中間支柱２４、２４、１組の中間支柱２４、２４の上部に固定される１組の上プレート２５、２５で構成される。
【００４１】
中間支柱２４は、Ｌ字形の断面であり、Ｌ字形のそれぞれの断面は中心線ＣＹ、ＣＸに平行で、かつ近接する状態に配設されている。Ｌ字形の中間支柱２４を構成する２つの構成部材の内、中心線ＣＹに沿って延びる構成部材は、上下方向に複数の孔２４ａが穿孔されている。また、中心線ＣＸに沿って延びる構成部材は、上下方向に複数の孔２４ｂが穿孔されている。孔２４ａは、中間支柱２４と、上プレート２５、及び下プレート２６を固定するためのものであり、孔２４ｂは、錘５を固定するためのものである。
【００４２】
下プレート２６は、両側端部から対向するもう一方の下プレート２６に向かって延びる突起を有している。この突起は、上蓋２２に接するように配設され、孔２６ａが穿孔されている。孔２６ａは、上蓋２２を固定するためのものである。そして、片ボルト９５に形成された雄ネジに対応する雌ネジが形成されている。また、中間支柱を固定する孔（図示略）が形成されている。この孔と孔２４ａにボルト９２を挿通しナット９２ａを締めつけることで下プレート２６と、中間支柱２４は固定される。
【００４３】
上プレート２５は、上端部、及び両側端部から対向するもう一方の上プレート２５に向かって延びる突起を有している。この突起は、上蓋２２に接するように配設されて、複数の孔２５ａが穿孔されている。孔２５ａは、上蓋２２を固定するためのものである。そして、片ボルト９５に形成された雄ネジに対応する雌ネジが形成されている。また、中間支柱２４に固定する孔が形成されている。この孔と孔２４ａにボルト９２を挿通しナット９２ａを締めつけることで上プレート２５と、中間支柱２４は固定される。
【００４４】
図２（ａ）、（ｂ）に示す通り、１組の端部支持材２７は、端部８０、及び端部８５に配設されて、底板２１に固定される。端部支持材２７は、底板２１に固定される１組の端支柱２８、２８、及び端支柱２８に固定される１組の端プレート２９で構成される。
【００４５】
端支柱２８は、Ｌ形の断面形状であり、Ｌ字形のそれぞれの断面は中心線ＣＹ、ＣＸに平行で、かつ、端部８０又は端部８５に近接する状態に配設されている。Ｌ字形の端支柱２８を構成する２つの構成部材の内、短手方向に沿って延びる構成部材は中心線ＣＹに平行に配設されており、上下方向に複数の孔２８ａが穿孔されている。また、長手方向に沿って延びる構成部材は、中心線ＣＸに平行に配設されており、上下方向に複数の孔２８ｂが穿孔されている。孔２８ａは、端プレート２９を固定するためのものであり、孔２８ｂは錘５を固定するためのものである。
【００４６】
端プレート２９は、孔２８ａに対応する孔２９ｃが穿孔され、この孔にボルト９３を挿通し、ナット９３ａを締め付けることで端支柱２８に固定される。また、端プレート２９は、上端部から本体２の外側に向かって延びるとともに、孔２９ａが形成された突起と、両側部から本体２の内側に向かって延びるとともに、孔２９ｂが形成された突起を有している。この突起は、上蓋２２に接するように配設されている。孔２９ａ、２９ｂは、上蓋２２を固定するためのものである。そして、孔２９ｂには、片ボルト９５に形成された雄ネジに対応する雌ネジが形成されている。
【００４７】
上蓋２２は、Ｌ形の断面形状であり、孔２５ａ、２６ａ、及び２９ａ、ｂに対応する孔２２ａが形成されている。上蓋２２を上プレート２５、下プレート２６、及び端プレート２９のそれぞれの突起に沿って配設し、片ボルト９５を孔２５ａ、２６ａ、２９ｂと対応する孔２２ａに挿入し締め付け、さらにボルト９４を孔２９ａと対応する孔２２ａに挿入しナット９４ａで締め付けることで、上蓋２２は、上プレート２５、下プレート２６、及び端プレート２９のそれぞれに固定される。また、片ボルト９５、及びボルト９４を、孔２２ａから外すことにより、上蓋２２は取り外される。すなわち、上蓋２２は、基台２０に着脱自在に固定される。
【００４８】
２個の錘５は、中心線ＣＹに対して対象の位置に配設されて、底板２１に載置される。図３（ａ）、（ｂ）に示す通り、錘５は、錘本体５１、及び錘本体５１のそれぞれの端部に設けられた固定プレート５２、５３で構成されている。
【００４９】
錘本体５１は、短手方向に貫通する貫通孔５１ａが形成されている。貫通孔５１ａに棒を挿通し、両端を持ち上げることにより錘５を簡単に所定の位置に移送することができる。
【００５０】
固定プレート５２は、錘５を中間支柱２４に固定するためのものである。そして、上下方向に沿って延びる断面形状がコ字形の部材であり、両端が錘本体５１の中央部側の端部に、固定されて、両側面に孔２４ｂに対応する孔５２ｂが穿孔されている。
【００５１】
固定プレート５３は、錘５を端支柱２８に固定するためのものである。そして、上下方向に沿って延びる断面形状がコ字形の部材であり、両端部が錘本体５１の端部側の端部に固定されている。固定プレート５３の両側面に、孔２８ｂに対応する孔５３ｂが穿孔されている。
【００５２】
固定プレート５２は、平面視で、中間支柱２４、２４、上プレート２５、及び下プレート２６で形成される凹部に収納可能な形状に設定されている。同様に、固定プレート５３は、平面視で、端支柱２８、２８、及び端プレート２９で形成される凹部に収納可能な形状に設定されている。これにより、錘５の底板２１上の移動を制限できるとともに、上方から挿入して、底板２１上に載置可能となる。
【００５３】
錘５を底板２１の所定の位置に載置し、貫通ボルト５５を孔２４ｂ、５２ｂ、及び孔２８ｂ、５３ｂに貫通させ、貫通ナット５６を締め付けることにより、錘５は、中間支柱２４、及び端支柱２８に固定される。また、貫通ナット５６を貫通ボルト５５から取り外し、貫通ボルト５５を、孔２４ｂ、５２ｂ、及び孔２８ｂ、５３ｂから抜くことで、固定状態を開放することができる。
【００５４】
以上、説明した通り、基礎１は、それぞれの部材をボルトで着脱自在に固定できる構造となっている。そのため、コンクリート製のものと違って、特定の部材、例えば挿通筒３５が何らかの理由で破損したとしても、その破損した部材のみを交換することで、繰り返し施工現場で使用することができる。
【００５５】
図４に示す通り、防護柵６は、ガードレール本体６２に所定の間隔で支柱６１が固定されている。支柱６１は、長孔３７ａの中心に対応する位置に、孔（図示略）が合計４個穿孔されている。
【００５６】
防護柵６を基礎１に設置する手順について説明する。基台３１に配設された挿通筒３５に穿孔された穴３５ａと、基台４１に配設された挿通筒３５に穿孔された穴３５ａが重なるように基礎１を長手方向に配設する。このとき、ボルト９１とナット９１ａは緩く締め付けられた状態である。これにより、基台３１、４１に配設された挿通筒３５は、長手方向にスライドできる状態となっている。支柱６１を挿通筒３５に挿入する。挿通筒３５と支柱６１の位置ずれによって支柱６１の挿入が困難な時は、挿通筒３５を長手方向にスライドさせて支柱６１の下端が、基台４１に接触するまで挿入する。その後、ボルト９１とナット９１ａを締め付けることによって、挿通筒３５を、基台３１、４１に固定する。その後、挿通筒３５に形成された長孔３７ａ、及び支柱６１に形成された孔に支柱ボルト６５を挿通して、支柱ナット６５ａ螺合することで、支柱６１を挿通筒３５に固定する。これにより、支柱６１は挿通筒３５を介して基台２０に強固に固定される。なお、防護柵６が平面視で曲線のときも、支柱ボルト６５を長孔３７ａに沿って移動させることで、基礎１をその曲線に沿って設置可能である。
【００５７】
基礎１の保管について説明する。基礎１は、防護柵６と分離できる構造であるため、図６（ａ）、（ｂ）、（ｃ）に示す通り、基礎１のみを上下・左右方向に積み上げて保管することができる。これにより、保管スペースをコンパクトにすることができる。
【符号の説明】
【００５８】
１      ：仮設防護柵基礎
２      ：本体
３      ：上突出部
４      ：下突出部
５      ：錘
６      ：防護柵
２０    ：基台
２１    ：底板
２２    ：上蓋
２２ａ  ：孔
２３    ：中間支持材
２４    ：中間支柱
２４ａ、２４ｂ  ：孔
２５    ：上プレート
２５ａ  ：孔
２６    ：下プレート
２６ａ  ：孔
２７    ：端部支持材
２８    ：端支柱
２８ａ、２８ｂ  ：孔
２９    ：端プレート
２９ａ、２９ｂ、２９ｃ  ：孔
３１    ：基台
３３    ：ブラケット
３５    ：挿通筒（上挿入筒，下挿入筒）
３５ａ  ：穴
３７    ：筒
３７ａ  ：長孔
３８    ：ベースプレート
３８ａ  ：長孔
４１    ：基台
４３    ：ブラケット
５１    ：錘本体
５１ａ  ：貫通孔
５２    ：固定プレート
５２ｂ  ：孔
５３    ：固定プレート
５３ｂ  ：孔
５５    ：貫通ボルト
５６    ：貫通ナット
６１    ：支柱
６２    ：ガードレール本体
６５    ：支柱ボルト
６５ａ  ：支柱ナット
８０    ：端部
８５    ：端部
９１    ：ボルト
９１ａ  ：ナット
９２    ：ボルト
９２ａ  ：ナット
９３    ：ボルト
９３ａ  ：ナット
９４    ：ボルト
９４ａ  ：ナット
９５    ：片ボルト
Ａ−Ａ  ：矢視
ＣＸ    ：中心線
ＣＹ    ：中心線
【図１】
2019100030.tif 000003
【図２】
2019100030.tif 000004
【図３】
2019100030.tif 000005
【図４】
2019100030.tif 000006
【図５】
2019100030.tif 000007
【図６】
2019100030.tif 000008